(57)【特許請求の範囲】
【請求項１】
一般住宅に多く既設されているシングルレバー混合水栓に外付けし、固着使用する節水器具であって、少なくとも１組の腕部を有する柱部と、蛇腹状に形成されたネック部と、傘部とを備えて成り、腕部には混合水栓胴部に固着できる手段を設け、ネック部は自在に折り曲げられ、固定可能な材質で形成し、傘部は扇型に形成したことを特徴とする節水器具。
【請求項２】
２組の腕部の間隔をあけて形成したことを特徴とする請求項１記載の節水器具。
【請求項３】
混合水栓の胴部に固着し、レバーの上方への可動力を使用者の加減で水量を保持し、調整することにより無駄な水の流し過ぎを防ぐ為の請求項１または２のいずれか記載の節水器具。
【発明の詳細な説明】
【技術分野】
【０００１】
本発明は一般住宅に多く既設されているシングルレバー混合水栓において、一つのレバーで上下に動かして水量を調節し、左右に動かして湯温を調節する混合水栓へ外付け固着させ、上方への可動力を使用者の加減で調節することで水量が一定に保持され、無駄に吐水されない様に節水を図った節水器具に関する。
【０００２】
本器具はレバーの上方への力を抑制し水量を抑える使用であるが、湯温を調節する操作場面であっても、レバーの左右への可動範囲に重なるように横に広く形成された傘部があることで、左右にレバーを振り、湯温を調節しながらも水の無駄を抑える外付けの節水器具。
【背景技術】
【０００３】
従来、蛇口内部の部品での流量調整する節水弁はいろいろ提案されている。蛇口内部の構造に散水板を加えるなど提案され実用に供されている。(例えば、特許文献1参照)
【先行技術文献】
【特許文献】
【０００４】
【特許文献１】特開２０１２−８２５８２号  公報
【発明の概要】
【発明が解決しようとする課題】
【０００５】
一般住宅に多く既設されているシングルレバー混合水栓において、簡易に水栓胴部へ外付けする節水器具は無かった。
【０００６】
シングルレバー混合水栓のレバーを上へ力余って上げてしまうと水圧が強くなり水量が多く出過ぎてしまうなど、無駄に水を流し過ぎてしまう場面が多々あった。
【０００７】
一定量保つためにレバーを動かすがなかなか思うように水量が安定しないので、使用者による節水への意識も様々であった。
【０００８】
そこで検討するにシングルレバー混合水栓胴部に外付け固着し、レバーの上方への操作を上げ過ぎて無駄に水を流し過ぎないようにすることを考え、容易に設置し、水量を一定に保持する事が出来るようになり、設置者以外の使用者でも継続して節水できるようになる事に着目してこの発明を得たのである。
【課題を解決するための手段】
【０００９】
本発明の節水器具は少なくとも1組の腕部を設けた柱部と、ネック部と扇型の傘部を備えたもので、腕部にはシングルレバー混合水栓の胴部に固着するための部材、例えば面ファスナーを設け、固着後傘部をネック部よりレバー側に折り曲げ扇型の本節水器具が上方への力を抑制する構成としたもので、容易に設置ができ、尚且つ水量を調節可能とし問題を解決している。
【００１０】
本発明の節水器具はシングルレバー混合水栓の胴部へ固着し、レバーの左右への可動域に重なるよう横に広く扇型に成形された傘部をネック部より曲げ、レバーの上方への可動域が固定されるので水量を一定量に保持されるようになる。固定されるので使用者が変わっても節水効果は継続される。
【００１１】
また、レバーの左右への湯温調節時の可動域を考え、レバーの上に重なる部分を横に広く扇型に形成することにより、レバーを左右へ動かし水温を調節しながらも上記のように上方への可動は固定され、節水効果を保つ形状である。
【００１２】
本発明はレバー上方への力を抑制する効果で水量を一定量に保持されることを目的とし工具無しで簡易に取り付けられる節水器具である。  
【００１３】
前記節水器具の材質は一つの例として、表面は水に強く、柔軟性、伸縮性に優れる材質で例えば、シリコーンゴムなどから成り、樹脂層と金属層の一体成形で特にネック部の形状は蛇腹状にすることで動きによる亀裂などを回避する仕様である。
【００１４】
本発明は一般に普及されているシングルレバー混合水栓用であるが、少なくとも1組の腕部を設けた柱部から成り、筒のサイズは本体の面ファスナー等調節可能になる形状になっているので様々な水栓の太さに対応ができる節水器具である。
【００１５】
本発明はキッチンのみならずシングルレバー混合水栓ならば高さのサイズを替えて形成し、簡易に外付け固着することができて、節水を図った節水器具である。
【発明の効果】
【００１６】
上述のように、本発明に係わる節水器具は構成が簡単で、各家庭、賃貸の住まいなど既設のシングルレバー混合水栓の胴部にしっかり固着でき、外れ難く、また、工事など必要とせず簡易に取り付けられ、節水効果を期待できる節水器具を実現できる。
【００１７】
レバーの上方への動きを抑えるように調節することで、設置者以外の使用者も継続して節水が出来る。台所のみならず洗面台やシングルレバー混合水栓ならば、サイズを変えて形成し例えば洗面台などに設置しても節水が出来るようになる。また、腕部は面ファスナーなどを使用し、水栓の筒の様々な太さに応じて調節出来るので幅広く設置可能である。
【００１８】
本体は一つの例としてシリコーンゴム等水に強い材質を使用し、レバーと重なる部分の傘部は花びらや貝殻の形などや着色をしても華やぎ、台所等を明るく印象付けられる。
【００１９】
毎日欠かせない水の使い過ぎへの意識を本発明の節水器具を用いることにより、節水への意識が自然に働くようになり、貴重な資源の水の節約で自然環境保護に役立てられることとなる。
【図面の簡単な説明】
【００２０】
【図１】本発明に係わる節水器具の一例を示す図。
【図２】図１に示す節水器具をシングルレバー混合水栓に装着した一例を示す斜視図。
【図３】図２の装着例を上側から見た図。
【図４】シングルレバー混合水栓の一例を示す外観図。
【図５】本発明に係わる節水器具の他の例を示す図。
【図６】図4に示す節水器具をシングルレバー混合水栓に装着した斜視図。
【発明を実施するための形態】
【００２１】
節水器具を腕部に設けた面ファスナーを使って、シングルレバー混合水栓胴部に固着し、その後、傘部をネック部よりレバーを覆うように折り曲げ設置することで、レバー上方への移動量を抑制することができる。
【実施例１】
【００２２】
以下、添付の図を用いて本発明に係わる節水器具１の実施例を説明する。図１は本発明に係わる節水器具１を正面から見た一つの例とする構成であって、上部より、扇型に形成された傘部２と、手で容易に曲げ固定できる蛇腹状のネック部３と、柱部４、水栓の胴部８へ固着する一組の腕部５a、５ｂより一体に構成されている。一例として柱部４と腕部５を一体化させ形成されたフック部材Ｈと、ループ部材Ｌからなる面ファスナーを貼り付けたものである。
【００２３】
本発明の節水器具１に係わる一例として、外面は伸縮性があり、水に強く耐水性に優れた素材、例えばシリコーンゴム等の樹脂材で、内面に金属材を密着積層して成り、全体的に樹脂層と金属層(内包)を一体成形されたものを軸とし(図示せず)、柱部４は水栓の胴部８の高さに近い長さに成形され、水栓胴部との合わせ面は滑り止め加工などが好ましい。
【００２４】
図２のようにネック部３は節水器具１をシングルレバー混合水栓６に装着後、傘部２の部位をレバー７へ覆うように蛇腹状のネック部３から折り曲げて使用するため、内包する金属はアルミや錫などの曲がり易く固定されるものを使い、本体は必要により掃除をする際にも容易に外せ、また繰り返し折り曲げて使用できるように蛇腹状に形成することで、外面の樹脂材の動きによる亀裂などを回避する仕様である。
【００２５】
図３の傘部２の長手方向の大きさＳ1は、シングルレバー混合水栓６のレバー７の長さＳ2より短く形成されている。傘部２の大きさS1はシングルレバー混合水栓６の使用時に使用者がレバー７を手に取りやすくレバー7の位置確認できるための配慮で、操作性を損なう恐れを軽減できることにある。
ただ、この大きさにとらわれず節水器具1の全て、あるいは傘部２を透明な材料で形成することでもレバー７の視認確認は出来るので、初期の目的は達成することができる。
また、図３で示すように傘部２の幅Ｗは、シングルレバー混合水栓６のレバー７の左右方向への回動範囲を覆う程度の大きさになっている。
【００２６】
なお、図４はシングルレバー混合水栓６の一例を示す外観図である。シングルレバー混合水栓６はレバー７と水栓の胴部８と吐水管部９よりなり、レバー７を左右矢印方向F１への動作により水温の調整ができ、上下矢印方向F2への動作により吐水する湯水量の調節ができる構造になっており、上方へ移動することで吐水流量が調節された湯水が流出する口である。
【００２７】
以上の構成で、節水器具１の腕部一組をシングルレバー混合水栓６の吐水管部９より下方位置となる水栓の胴部８に巻きつけ、先端に設けられた面ファスナー５のフック面５aとループ面５ｂを使い節水器具1を固着する。
この固着位置にすることで節水器具１は、面ファスナーの固着力とともに腕部５が吐水管部９で突っかかりとなりシングルレバー混合水栓６から抜け出ることを防止することができるのである。
【００２８】
節水器具１を上記のごとく固着後、傘部２をネック部3の位置からレバー７を蓋うように折り曲げる。この時の折り曲げの位置は、レバー７の上側への移動量を抑制する位置とする。
この傘部２の折り曲げ位置により吐水する湯水量を加減することができるもので、より深く折り曲げることでレバー７の上側への移動量が傘部２によって制限され、吐水量を減らし、節水効果を期待することができる。折り曲げ量が浅い時はレバー７の上方への移動可能領域が増えるので吐水量を増やすことができる。
【００２９】
上述した使用時に発生する傘部２の折り曲げの時や、伸ばした時に発生する素材へのストレスは、蛇腹状に形成されたネック部３によって軽減されるので繰り返し行っても破断する恐れを軽減することができる。
【００３０】
また、腕部５の材質はネック部３内部と同じ固定可能な金属を使用しても、磁石を組み入れても固定をすることを目的に色々と固着手段として工夫が考えられる。
【実施例２】
【００３１】
図５は本発明に係わる節水器具の他の実施例を示すもので、図６はシングルレバー混合水栓６への装着例を示す図である。ここでの節水器具２１のこれまで述べた節水器具１との違いは、その構成が腕部２３aと２３ｂ、２４aと２４ｂの２組の構成となっている点であり、その固着力は節水器具１と比べて強いものとなっている。傘部２５、ネック部２６は節水器具１と同様の構成となっている。
【００３２】
図６は腕部５が２組の場合の取り付け斜視図の実施例で、その時２組の腕部２３aと２３ｂ、２４aと２４ｂを吐水管部９の上下に合わせ付けることでしっかりと固着させることができる。固着位置を２箇所にすることにより強力な固着力を得るためであり、また腕部２３と腕部２４の形成間隔はその間にシングルレバー混合水栓６の吐水管部９が位置できる間隔をあけて形成される。このように形成することでシングルレバー混合水栓６への腕部の働きで抜け出ることを防ぐことができる。
【００３３】
この時の使用は、図１〜図３の説明と同様なものとなる。
【００３４】
以上の説明で腕部はその先端面に面ファスナーを形成したが、その他の例として、紐で結んだり、耐水性の素材で出来たホックを使ったり、磁石を使用して固着することで問題はない。外れを防ぐにはしっかりと固定されるものが好ましい。
【００３５】
また、樹脂層と金属層(内包)の一体成形など、硬質なプラスティックやスケルトン素材等、ネック部はフレキシブルアーム等を使用してもと様々に構造できるので他の材質でも問題はない。
【００３６】
また、取り付け、取り外しには工事や工具など使用せず容易に行えるので賃貸の住まいでも既設のシングルレバー混合水栓６へ遠慮なく取り付けられる。汚れたら外して洗えるので衛生的に保てる節水器具である。
【００３７】
本体は一つの例としてシリコーンゴム等水に強い材質を使用し、シングルレバーと重なる部分の笠は花びらや貝殻の形などで形成し着色しても華やぎ、明るくキッチン等を印象づけられる。
【符号の説明】
【００３８】
１、２１  ：節水器具
２、２５  ：傘部
３、２６  ：ネック部
４、２２  ：柱部
５a５ｂ、２３a２３ｂ、２４a２４ｂ  ：腕部
Ｈ        ：フック面
Ｌ        ：ループ面
６        ：シングルレバー混合水栓
７        ：レバー
８        ：水栓の胴部
９        ：吐水管部
【図１】
0006621061.tif 000002
【図２】
0006621061.tif 000003
【図３】
0006621061.tif 000004
【図４】
0006621061.tif 000005
【図５】
0006621061.tif 000006
【図６】
0006621061.tif 000007